(57)【要約】【課題】封入式遊技機において、上皿の遊技球を整列させて流下させるための誘導樋などの構成を不要とする技術を提供する。【解決手段】封入式遊技機用の上皿１０の内部では、前側の壁面１０ｃから後側の壁面１０ｄに向けて多数の仕切り板１０ｅが延出するとともに、後側の壁面１０ｄから前側の壁面１０ｃに向けて多数の仕切り板１０ｆが延出し、前側の仕切り板１０ｅと後側の仕切り板１０ｆとが左右方向に交互に配置されている。これにより、上皿１０の内部に一条の誘導通路１０ｇが形成されている。この誘導通路１０ｇは、遊技球が一列に整列する状態で通過可能な筒状になっている。また、誘導通路１０ｇの底面１０ｈは、受入口１０ａ近傍から排出口１０ｂ近傍に向けて、緩やかな傾斜面となっている。また、上皿１０の上部は透明または半透明となっており、誘導通路１０ｇおよび誘導通路１０ｇに貯留される遊技球を視認可能になっている。【選択図】図２
2016214654.tif 000002
【特許請求の範囲】
【請求項１】
内部に封入された遊技球を遊技盤と前記遊技盤の前方に配された透明板との間に形成される遊技領域に投入して遊技を行い、遊技を終えた遊技球を回収して循環使用する封入式遊技機に用いられ、遊技を終えて回収された遊技球を前記遊技領域に再び投入する前に一時貯留する封入式遊技機用の上皿において、
遊技を終えて回収された遊技球を一列に整列された状態で受け入れる受入口と、
遊技球を一列に整列された状態で排出する排出口と、
遊技球が一列に整列する状態で通過可能な筒状または樋状であり、前記受入口と前記排出口とを連結し、前記受入口から受け入れた遊技球を一列に整列させた状態で前記排出口まで誘導する誘導通路と、を備えること
を特徴とする封入式遊技機用の上皿。
【請求項２】
請求項１に記載の封入式遊技機用の上皿において、
箱形状を有し、
内部において、一方側の壁面から他方側の壁面に向けて多数の仕切り板が延出し、他方側の壁面から一方側の壁面に向けて多数の仕切り板が延出し、一方側の仕切り板と他方側の仕切り板とが左右方向に交互に配置されることで前記誘導通路が形成されていること
を特徴とする封入式遊技機用の上皿。
【請求項３】
内部に封入された遊技球を遊技盤と前記遊技盤の前方に配された透明板との間に形成される遊技領域に投入して遊技を行い、遊技を終えた遊技球を回収して循環使用する封入式遊技機において、
遊技を終えて回収された遊技球を前記遊技領域に再び投入する前に一時貯留する請求項１または請求項２に記載の封入式遊技機用の上皿を備えること
を特徴とする封入式遊技機。
【発明の詳細な説明】
【技術分野】
【０００１】
本発明は、封入式遊技機において、上皿の遊技球を整列させて流下させるための誘導樋などの構成を不要とする技術に関する。
【背景技術】
【０００２】
特許文献１には、封入式遊技機２０に揚送機６０を併設してパチンコ玉を循環させる構成において、遊技を終えた遊技球を回収してアウトタンク６２に一時貯留する点が記載されている。
【先行技術文献】
【特許文献】
【０００３】
【特許文献１】特開２０１３−１４４０７３号公報
【発明の概要】
【発明が解決しようとする課題】
【０００４】
しかし、特許文献１に記載の封入式遊技機２０においては、揚送機６０にパチンコ玉を１列で整然と流入させる必要があるので、アウトタンク６２に貯留されるパチンコ玉を排出時には整列させる必要がある。このためには、アウトタンク６２のパチンコ玉を整列させて流下させるための誘導樋などの構成が必要となっていた。しかも、パチンコ玉を整列させて流下させるためには誘導樋などの構成にある程度の長さが必要であり、このような誘導樋などの構成を備えるためにはその分のスペースを封入式遊技機内に確保する必要があった。
【０００５】
本発明は、このような課題に鑑みなされたものであり、その目的とするところは、封入式遊技機において、アウトタンクなどの上皿の遊技球を整列させて流下させるための誘導樋などの構成を不要とする技術を提供することにある。
【課題を解決するための手段】
【０００６】
上記課題を解決するためになされた請求項１に係る封入式遊技機用の上皿は、内部に封入された遊技球を遊技盤と前記遊技盤の前方に配された透明板との間に形成される遊技領域に投入して遊技を行い、遊技を終えた遊技球を回収して循環使用する封入式遊技機に用いられ、遊技を終えて回収された遊技球を前記遊技領域に再び投入する前に一時貯留する封入式遊技機用の上皿において、遊技を終えて回収された遊技球を一列に整列された状態で受け入れる受入口と、遊技球を一列に整列された状態で排出する排出口と、遊技球が一列に整列する状態で通過可能な筒状または樋状であり、前記受入口と前記排出口とを連結し、前記受入口から受け入れた遊技球を一列に整列させた状態で前記排出口まで誘導する誘導通路と、を備えることを特徴とする。
【０００７】
このように構成された本発明の封入式遊技機用の上皿によれば、受入口から受け入れた遊技球を一列に整列させた状態で排出口まで誘導するように構成されているので、従来構成の封入式遊技機が備えるような、上皿の遊技球を整列させて流下させるための誘導樋などの構成が不要となる。そして、誘導樋などの構成を設置するためのスペースを封入式遊技機内に確保する必要もなくなる。
【０００８】
この場合、請求項２のように、箱形状を有し、内部において、一方側の壁面から他方側の壁面に向けて多数の仕切り板が延出し、他方側の壁面から一方側の壁面に向けて多数の仕切り板が延出し、一方側の仕切り板と他方側の仕切り板とが左右方向に交互に配置されることで前記誘導通路が形成されていることが好ましい。
【０００９】
なお、本発明は、上述のような封入式遊技機用の上皿を備える封入式遊技機としても実現可能である。具体的には、請求項３に係る封入式遊技機は、内部に封入された遊技球を遊技盤と前記遊技盤の前方に配された透明板との間に形成される遊技領域に投入して遊技を行い、遊技を終えた遊技球を回収して循環使用する封入式遊技機において、遊技を終えて回収された遊技球を前記遊技領域に再び投入する前に一時貯留する請求項１または請求項２に記載の封入式遊技機用の上皿を備えることを特徴とする。
【図面の簡単な説明】
【００１０】
【図１】実施形態のパチンコ機１の正面図である。
【図２】実施形態の上皿１０の説明図である。
【発明を実施するための形態】
【００１１】
以下に本発明の実施形態を図面とともに説明する。
以下の説明においては、パチンコ機１を構成する各部の相対的な位置関係を簡潔に説明するために、図中に併記した上下左右前後の各方向を利用して説明を行う。
【００１２】
図１に示すように、弾球遊技機の一種であるパチンコ機１の前面部には、窓枠２が配されている。
窓枠２は、外枠１９に保持された中枠７に取り付けられている。より具体的には、窓枠２はヒンジにて中枠７に軸支され、扉状に開閉できる。また、窓枠２には球皿としての上皿１０およびハンドル１８が取り付けられている。
【００１３】
窓枠２には円形の窓８が設けられているが、この窓８は窓枠２の背面部に取り付けられたガラス板にて閉鎖されている。一方、中枠７は周知の遊技盤（図示省略）を保持しており、窓枠２の窓８（ガラス板）を通して遊技盤を視認できる。
【００１４】
パチンコ機１は、内部に封入された遊技球を遊技盤と遊技盤の前方に配されたガラス板との間に形成される遊技領域（図示省略）に投入して遊技を行い、遊技を終えた遊技球を回収して循環使用する機能を有している。
【００１５】
次に、本発明が適用された上皿１０の構成について説明する。
上皿１０は、遊技を終えて回収された遊技球を前記遊技領域に再び投入する前に一時貯留するための構成である。
【００１６】
図２に示すように、上皿１０は、箱形状を有するとともに、内部が空洞になっている。
上皿１０の左端後面には、遊技球を受け入れるための開口である受入口１０ａが形成されている。受入口１０ａは、遊技球の直径寸法よりも若干大きく設定されている。また、上皿１０の右端後面には、遊技球を排出するための開口である排出口１０ｂが形成されている。排出口１０ｂは、遊技球の直径寸法よりも若干大きく設定されている。
【００１７】
また、上皿１０の内部では、前側の壁面１０ｃから後側の壁面１０ｄに向けて多数の仕切り板１０ｅが延出するとともに、後側の壁面１０ｄから前側の壁面１０ｃに向けて多数の仕切り板１０ｆが延出し、前側の仕切り板１０ｅと後側の仕切り板１０ｆとが左右方向に交互に配置されている。
【００１８】
なお、前側の仕切り板１０ｅと後側の仕切り板１０ｆとの間の左右方向の幅寸法は、遊技球の直径寸法よりも若干大きく設定されている。また、前側の仕切り板１０ｅと後側の壁面１０ｄとの間の前後方向の隙間寸法は、遊技球の直径寸法よりも若干大きく設定されている。また、後側の仕切り板１０ｆと前側の壁面１０ｃとの間の前後方向の隙間寸法は、遊技球の直径寸法よりも若干大きく設定されている。また、上皿１０の内部の上下方向の高さ寸法は、遊技球の直径寸法よりも若干大きく設定されている。
【００１９】
以上のような構成により、上皿１０の内部に一条の誘導通路１０ｇが形成されている。この誘導通路１０ｇは、遊技球が一列に整列する状態で通過可能な筒状になっている。また、誘導通路１０ｇの底面１０ｈは、受入口１０ａ近傍から排出口１０ｂ近傍に向けて、緩やかな傾斜面となっている。
【００２０】
また、上皿１０の上部は透明または半透明となっており、誘導通路１０ｇおよび誘導通路１０ｇに貯留される遊技球を視認可能になっている。
このように本実施形態のパチンコ機１によれば、上皿１０が、受入口１０ａから受け入れた遊技球を一列に整列させた状態で排出口１０ｂまで誘導するように構成されているので、従来構成の封入式遊技機が備えるような、上皿の遊技球を整列させて流下させるための誘導樋が不要となる。そして、誘導樋を設置するためのスペースをパチンコ機１内に確保する必要もなくなる。
【００２１】
以上、本発明の一実施形態について説明したが、本発明は上記実施形態に限定されるものではなく、以下のような様々な態様にて実施することが可能である。
上記実施形態では、上皿１０内部に形成される誘導通路１０ｇが筒状になっており、遊技球が一列に整列する状態で通過可能になっているが、これには限られず、例えば、上皿１０上部が閉鎖された状態のままで誘導通路１０ｇを樋状に形成してもよい。
【符号の説明】
【００２２】
１…パチンコ機、２…窓枠、７…中枠、８…窓、１０…上皿、１０ａ…受入口、１０ｂ…排出口、１０ｃ…前側の壁面、１０ｄ…後側の壁面、１０ｅ…前側の仕切り板、１０ｆ…後側の仕切り板、１０ｇ…誘導通路、１０ｈ…底面、１８…ハンドル、１９…外枠。
【図１】
2016214654.tif 000003
【図２】
2016214654.tif 000004